(57)【要約】【課題】運転中および運転休停止中に、熱交換器１次側と２次側の流体の混入を防止し、微量混入漏れ汚染が生じた場合でも汚染の拡大を阻止し得る熱交換システムを提供する。【解決手段】第１・第２熱交換流路ＬＫ１，ＬＫ２を備えた熱交換器１と、第１・第２熱交換流路に夫々第１・第２流体Ｒ１，Ｒ２を通流させる第１・第２流路Ｌ１，Ｌ２と、第１・第２流路に設けた１次側・２次側圧力センサＳ１〜Ｓ４、１次側・２次側通流弁Ｂ１，Ｂ２，Ｂ３，Ｂ５，Ｂ６および第１・第２ポンプＰ１，Ｐ２と、圧力センサの検出値に基づいて各通流弁・各ポンプを操作する制御部４とを備え、１次側流路の少なくとも一部の配置高さを２次側流路の何れの部位よりも高くして運転中・運転休停止中に第１熱交換流路の圧力を第２熱交換流路の圧力より高く保持するように構成し、さらにバイパス流路ＬＢ・ドレン流路ＬＤなどを設ける。【選択図】図１
2014153003.tif 000002
【特許請求の範囲】
【請求項１】
互いに熱交換を行うよう隣接配置された第１熱交換流路および第２熱交換流路を備えた熱交換器と、
前記第１熱交換流路に第１流体を通流させる第１流路と、
前記第２熱交換流路に第２流体を通流させる第２流路と、
前記第１流路のうち前記熱交換器の上流側および下流側の少なくとも何れか一方に設けた１次側圧力センサと、
前記第２流路のうち前記熱交換器の上流側および下流側の少なくとも何れか一方に設けた２次側圧力センサと、
前記第１流路のうち前記熱交換器の上流側および下流側に夫々設けた１次側通流弁と、
前記第２流路のうち前記熱交換器の上流側および下流側に夫々設けた２次側通流弁と、
前記第１熱交換流路および前記第１流路に前記第１流体を通流または通流停止させる第１ポンプと、
前記第２熱交換流路および前記第２流路に前記第２流体を通流または通流停止させる第２ポンプと、
前記１次側圧力センサおよび前記２次側圧力センサの少なくとも何れか一つからの検出値に基づいて、前記１次側通流弁、前記２次側通流弁、前記第１ポンプおよび前記第２ポンプの少なくとも何れか一つを操作可能な制御部とを備えると共に、
前記夫々設けた１次側通流弁を両端部とする前記第１流路および前記第１熱交換流路を含む流路の少なくとも一部の配置高さを
前記夫々設けた２次側通流弁を両端部とする前記第２流路および前記第２熱交換流路を含む流路の何れの部位よりも高くして、
前記第１熱交換流路の任意の位置での水頭圧が、それに対応する前記第２熱交換流路の位置での水頭圧よりも高くなるように設定し、
運転中および運転休停止中に前記第１熱交換流路の圧力を前記第２熱交換流路の圧力より高く保持するように構成してある熱交換システム。
【請求項２】
前記第２熱交換流路の両端のうち低い側の端部に接続してある前記第２流路における前記第２熱交換流路と前記２次側通流弁との間の最も低い位置から前記第２熱交換流路よりも下方に分岐延長させたドレン流路および当該ドレン流路の開閉を行うドレン用通流弁を設けてある請求項１に記載の熱交換システム。
【請求項３】
前記第１熱交換流路に対して下流側に位置する前記第１流路のうち前記１次側通流弁のさらに下流側の位置から分岐し、前記第２流路のうち前記第２熱交換流路と前記２次側通流弁との間の位置に接続されたバイパス流路および当該バイパス流路に設けたバイパス用通流弁を備え、
前記ドレン流路が、前記バイパス流路が接続されたのとは反対側の前記第２流路に接続してある請求項２に記載の熱交換システム。
【請求項４】
前記第１熱交換流路の下流側に位置する前記第１流路における前記第１熱交換流路と前記１次側通流弁との間の位置に、前記第１流体の一定量を貯留できる流路延長形成体を設けてある請求項１から３の何れか一項に記載の熱交換システム。
【請求項５】
前記制御部が、前記１次側通流弁、前記２次側通流弁、前記第１ポンプおよび前記第２ポンプのうち少なくとも何れか一つの動作を制御して、前記第１流路の圧力と前記第２流路の圧力との圧力差を急増変化させ、前記１次側圧力センサおよび前記２次側圧力センサのうち少なくとも何れか一方の検出値に基づいて、前記第１熱交換流路と前記第２熱交換流路との連通の有無を確認するように構成してある請求項１から４の何れか一項に記載の熱交換システム。
【発明の詳細な説明】
【技術分野】
【０００１】
本発明は、互いに熱交換を行うよう隣接配置された第１熱交換流路および第２熱交換流路を備えた熱交換器と、前記第１熱交換流路に第１流体を通流させる第１流路と、前記第２熱交換流路に第２流体を通流させる第２流路と、前記第１流路および前記第２流路に夫々設けた圧力センサおよび通流弁と、前記第１熱交換流路および前記第２熱交換流路に流体を各別に通流・停止させるポンプとを備え、前記圧力センサの検出値を受け取り、前記通流弁および前記ポンプの少なくとも何れか一つを操作する制御部とを備えた熱交換システムに関する。
【背景技術】
【０００２】
従来、例えば、水を９０℃まで加熱する熱源機として、（１）ボイラー方式  （２）電気ヒーター方式  （３）ＣＯ２冷媒ヒートポンプ方式などのものがある。このうち（３）の熱源機はＣＯ２ガス排出量が少なく、夜間電力を使用して電力使用の平準化に寄与でき、しかもエネルギーコストが安いことで環境面と経済面において優位性がある。
【０００３】
各々の熱源機には５〜２５℃程度の水を通水して９０℃まで昇温させる熱交換器が内蔵されている。この内蔵熱交換器に問題なく直接通水できる昇温対象流体は基本的に水道水やこれに準ずる水質の良質水に限られる。それ以外の昇温対象流体は、内蔵熱交換器の通流流体漏れによる熱源機損傷の大掛かりなトラブルを回避するために、内臓熱交換器に直接通流させることはしない。そのような昇温対象流体の場合には、一旦、昇温した良質水を熱源に利用して間接式熱交換器を使用した間接熱交換を行うことにより、目的の昇温対象流体の加温・昇温を行う。
【０００４】
しかしながら、これらの間接熱交換方式の装置においても、熱交換効率向上の為に使われる通流部金属材に腐食孔や割れなどが生じ、通流流体漏れによるトラブルを起こす場合がある。例えば、図４のようにＣＯ２冷媒ヒートポンプ方式熱源機で加温した貯湯温水（８５〜６５℃）を間接熱交換器の１次側に通し、２次側に通す冷温泉水（２５℃未満）を所定の温度（約４５℃）まで加温し、浴槽に供する冷温泉水加温・循環への上記熱源機利用システムにおいて、夜間電力を有効利用するために、１次側温水と同じ貯湯温水を別系統で食器洗浄などの用途に兼用する場合がある。この場合、間接熱交換器に腐食孔や割れが発生すると、これらの部位から冷温泉水が１次側温水に混入し、１次側温水が汚染されてしまう。そしてこの汚染水が貯湯タンクなどに流入すると、１次側温水が食器洗浄に適さなくなるなどの問題が生じる。また、汚染水が上記熱源機の内蔵熱交換器にまで達すると、その熱交換器をも腐食させ、熱源機を損傷させる可能性がある。
【０００５】
さらに、熱交換器に腐食孔や割れが生じなくても、スケール付着や詰まりなどのために、熱交換効率の著しい低下によるエネルギーロスの増大や、メンテナンスコストの増大を来たす。特にスケール付着については冷温泉水などスケール成分の析出物が熱交換運転休停止の放置時間中に徐々に成長し固着する場合がある。このようなスケールの固着は、毎回の運転時の洗浄で防止することも可能である。しかし、従来の熱交換器では特にこのような洗浄運転は行われておらず、各熱源機メーカーは保証する昇温対象流体の成分に制約を設けてスケールの付着防止を図っているのが実状である。今のところ、多くの熱源機メーカーが水道水以外に保証する昇温対象流体は、特定の水質基準をクリアーする良質の井水や地下水に限定されている。ただし、結局のところ現在、十分な耐久性を保証された間接熱交換器として、冷温泉水の加温用途に用いるシステムに使用されているものはない。
【０００６】
一方、最近になって約７０℃以上の高温温泉水を熱源に低沸点媒体を使用して発電を行う小型バイナリー発電システムが注目を浴びている。しかし、種々の水質の高温温泉水に対し、例えば十分な耐久性をもつ間接熱交換器を用いたシステムは今のところ見当たらない。
【０００７】
このような熱交換器の破損漏れ故障を診断する技術として、例えば、特許文献１に示す技術がある。この技術は、環境試験装置などに用いられる熱交換器の破損漏れを確実に検知しようとするシステムである。
【０００８】
このシステムでは、熱交換器の破損を確認するために、システムの運転を開始する前に、システムの流路のうち熱交換器を含む領域の圧力を高い状態に設定する。そのためには、まず、流路に設けた複数の弁の開閉状態を設定して熱交換器を含む領域を密閉領域とする。次に、ポンプなどを利用して当該密閉領域の圧力を一定圧力に昇圧し、その圧力を所定の時間に亘って測定する。当該圧力が変化しなければ、熱交換器には漏洩などの不都合が生じていないと判断できる。一方、圧力が低下した場合には、特に所定の閾値を超えて低下した場合に熱交換器に何らかの不都合が生じていると判断する。
【先行技術文献】
【特許文献】
【０００９】
【特許文献１】特開２０１２−００２６７３号公報  （〔００４４〕〜〔００６０〕段落、図４〜６）
【発明の概要】
【発明が解決しようとする課題】
【００１０】
上記特許文献１の装置では、そのような確認運転を装置の運転初期の状態において行う。しかしながら、間接熱交換器を含め多くの熱交換器は、運転休停止中においても流路の内部に流体を充填したままであることが多い。よって、流路内部の腐食進行など流体に基因する熱交換器の破損漏れ故障が運転休停止中に生じた場合、次の確認運転がなされるまで熱交換器の故障が放置されてしまう。この間に、例えば熱交換器における１次側２次側双方の流体が水のような場合には一方の流体が他方の流路に混入し続け、他方の流路の汚染が進行してしまうことがある。
【００１１】
また、この装置では運転初期に確認運転を行って熱交換器の破損チェックを行い、そののちの本運転の可否を判断するものである。しかし、この装置は本運転中に漏れ故障を検知するものではなく、また、本運転中に１次側流体と２次側流体の混入を防止したり、微量混入漏れ流路に対する汚染処理なども行わない。
このように確認運転機能を備えた従来の装置であっても、運転中あるいは運転休停止中に拘らず、常に熱交換器の健全性を維持することはできず、種々の環境下において高い安全性を有する熱交換システムを実現するには未だ改善すべき問題が存在していた。
【００１２】
そこで本発明では、運転中および運転休停止中に、熱交換器１次側と２次側の流体の混入を防止し、微量混入漏れ汚染が生じた場合でも汚染の拡大を阻止し得る熱交換システムを提供することを課題とする。
【課題を解決するための手段】
【００１３】
本発明の熱交換システムに係る特徴構成は、互いに熱交換を行うよう隣接配置された第１熱交換流路および第２熱交換流路を備えた熱交換器と、前記第１熱交換流路に第１流体を通流させる第１流路と、前記第２熱交換流路に第２流体を通流させる第２流路と、前記第１流路のうち前記熱交換器の上流側および下流側の少なくとも何れか一方に設けた１次側圧力センサと、前記第２流路のうち前記熱交換器の上流側および下流側の少なくとも何れか一方に設けた２次側圧力センサと、前記第１流路のうち前記熱交換器の上流側および下流側に夫々設けた１次側通流弁と、前記第２流路のうち前記熱交換器の上流側および下流側に夫々設けた２次側通流弁と、前記第１熱交換流路および前記第１流路に前記第１流体を通流または通流停止させる第１ポンプと、前記第２熱交換流路および前記第２流路に前記第２流体を通流または通流停止させる第２ポンプと、前記１次側圧力センサおよび前記２次側圧力センサの少なくとも何れか一つからの検出値に基づいて、前記１次側通流弁、前記２次側通流弁、前記第１ポンプおよび前記第２ポンプの少なくとも何れか一つを操作可能な制御部とを備えると共に、前記夫々設けた１次側通流弁を両端部とする前記第１流路および前記第１熱交換流路を含む流路の少なくとも一部の配置高さを、前記夫々設けた２次側通流弁を両端部とする前記第２流路および前記第２熱交換流路を含む流路の何れの部位よりも高くして、前記第１熱交換流路の任意の位置での水頭圧が、それに対応する前記第２熱交換流路の位置での水頭圧よりも高くなるように設定し、運転中および運転休停止中に前記第１熱交換流路の圧力を前記第２熱交換流路の圧力より高く保持するように構成した点にある。
【００１４】
本構成の熱交換システムでは、１次側通流弁を両端部とする流路の少なくとも一部の配置高さを、２次側通流弁を両端部とする流路の何れの部位よりも高くしてある。つまり、第１流路の一部は、互いに対向する第１熱交換流路および第２熱交換流路の位置よりも常に高い位置にある。よって、第１流路および第２流路に流体が存在する場合には、第１熱交換流路における水頭圧が、それに対応する位置の第２熱交換流路の水頭圧よりも常に高いものとなる。従って、運転休停止中に仮に熱交換器の内部で破損が生じた場合でも、第２流体が第１熱交換流路の側に混入するのを防止することができる。
【００１５】
一方、熱交換運転中は、例えば、第１ポンプと第２ポンプの吐出圧に差を設け、１次側の流体圧力が２次側の流体圧力よりも常に大きくなるよう平均的所定差圧を持たせる。このような差圧運転を行うことで、仮に熱交換器の内部で破損が生じても第２流体が第１熱交換流路の側に混入するのを防止することができる。
【００１６】
また、上記平均的所定差圧に異常があった場合、１次側圧力センサおよび２次側圧力センサの少なくとも何れかによる検知に基づき漏洩状況と判定して第１ポンプおよび第２ポンプを停止するなど直ちに熱交換システムを運転休停止状態とし、水頭圧の差により第１熱交換流路における圧力を、それに対応する位置の第２熱交換流路の圧力より高く保持する。
【００１７】
本発明の熱交換システムにおいては、前記第２熱交換流路の両端のうち低い側の端部に接続してある前記第２流路における前記第２熱交換流路と前記２次側通流弁との間の最も低い位置から前記第２熱交換流路よりも下方に分岐延長させたドレン流路および当該ドレン流路の開閉を行うドレン用通流弁を設けることができる。
【００１８】
本構成のごとく、ドレン流路およびドレン用通流弁を、第２熱交換流路に接続される第２流路のうち低い側に接続することで、仮に、熱交換運転において第１熱交換流路と第２熱交換流路との仕切りに破損が生じていた場合などに、１次側圧力センサおよび２次側圧力センサの少なくとも何れかによる検知に基づき漏洩状況と判定して当該ドレン用通流弁を大気開放して第２熱交換流路の流体を排出し、流体の混入を阻止することができる。当該ドレン流路は、第２熱交換流路に対して上流側に設けるか下流側に設けるかはここでは問題とならない。ドレン流路は、二つの第２流路のうち、設置高さがより低位置にあるものから分岐させる。これにより、第２熱交換流路および二つの第２流路に存在する第２流体の略全てを排出することができる。
【００１９】
本発明の熱交換システムにおいては、前記第１熱交換流路に対して下流側に位置する前記第１流路のうち前記１次側通流弁のさらに下流側の位置から分岐し、前記第２流路のうち前記第２熱交換流路と前記２次側通流弁との間の位置に接続されたバイパス流路および当該バイパス流路に設けたバイパス用通流弁を備え、
前記ドレン流路を、前記バイパス流路が接続されたのとは反対側の前記第２流路に接続しておくと好適である。
【００２０】
本構成のごとく、バイパス流路を、第１熱交換流路よりも下流側であって１次側通流弁よりもさらに下流側の位置から第２流路の何れか一方に接続し、これと反対の第２流路にドレン流路を設けることで、例えば、ドレン用通流弁を開放状態とし、より圧力の高い第１流体をバイパス流路から第２流路の一方を介して第２熱交換流路に供給することで第２熱交換流路を洗浄することができる。より圧力の低い第２熱交換流路には、例えば、熱を保有する温泉水などを流通させるが、このような熱源流体にはスケール成分や不純物が混入していることが多いと考えられる。よって、例えば当該バイパス流路を第２熱交換流路の下流側に接続すれば、より高圧で清浄な第１流体を通常の流れとは逆の方向に流して、第２熱交換流路を逆流洗浄することができる。このような逆流洗浄を熱交換運転開始前および終了後など適切なタイミングで実施することで、熱交換器の腐食などを防止して熱交換器の耐久性をより高めることができる。
【００２１】
また、バイパス流路の分岐部を第１熱交換流路よりも下流側に設けたので、仮に、熱交換運転などにおいて熱交換器の内部で破損が生じ、第１熱交換流路と第２熱交換流路との間で微量混入漏れによる汚染が生じている場合に、１次側圧力センサおよび２次側圧力センサの少なくとも何れかによる検知に基づき漏洩状況と判定してバイパス用通流弁およびドレン用通流弁を開けることなどにより、汚染が生じている流体を第１流路の下流側には流さず、第２流路の側に確実に排出することができる。よって、第１流路の下流側における汚染の拡大を防止することができ、特に第１流路の下流側に汚染が拡大する場合の厄介な汚染漏れ水の後始末の必要もなくなる。
【００２２】
本発明の熱交換システムにおいては、前記第１熱交換流路の下流側に位置する前記第１流路における前記第１熱交換流路と前記１次側通流弁との間の位置に、前記第１流体の一定量を貯留できる流路延長形成体を設けておくことができる。
【００２３】
本構成のごとく、第１熱交換流路の下流側に流路延長形成体を備えることで、仮に、熱交換器において第２流体が第１流体の側に僅かに混入した場合でも、汚染された流体の一定量は当該流路延長形成体に貯留され、汚染水がさらに下流側に流れるのを一定時間にわたり阻止することができる。本システムでは、例えば、熱交換運転中に各所に設けた圧力センサの圧力計測値から第１熱交換流路の圧力と第２熱交換流路の圧力との差圧を監視し、当該圧力計測値または当該差圧値が異常を呈した場合に、第２流体が第１流体の側に混入する条件の一つと判定し、第１ポンプおよび第２ポンプを停止させるなどして運転休停止状態にする。上記流路延長形成体を設けることで、このような判定を行い、そののちに運転を停止するまでの時間を確保することができ、第１流路の側の汚染をより有効に防止することができる。
【００２４】
本発明の熱交換システムにおいては、前記制御部が、前記１次側通流弁、前記２次側通流弁、前記第１ポンプおよび前記第２ポンプのうち少なくとも何れか一つの動作を制御して、前記第１流路の圧力と前記第２流路の圧力との圧力差を急増変化させ、前記１次側圧力センサおよび前記２次側圧力センサのうち少なくとも何れか一方の検出値に基づいて、前記第１熱交換流路と前記第２熱交換流路との連通の有無を確認するように構成することができる。
【００２５】
本発明の熱交換システムでは、第１流路に１次側圧力センサを備え、第２流路には２次側圧力センサを備えて、前記第１熱交換流路と前記第２熱交換流路との連通の有無を監視することができる。しかし、通常の熱交換運転中の圧力差は、第２熱交換流路から第１熱交換流路への第２流体の混入を防止できればよいから、それほど大きな差を設ける必要はない。そのため、仮に、第１熱交換流路と第２熱交換流路との間で連通による漏洩が生じた場合でも、双方の熱交換流路の圧力が顕著に変化しない可能性がある。そこで、本構成では第２熱交換流路の圧力と第１熱交換流路の圧力との差を大きく急増変化させるよう制御部が機能することで漏れ検知診断を行わせ、上記漏洩の早期発見を可能にできる。
【００２６】
双方の熱交換流路の圧力差を急増させる手法としては、例えば、熱交換運転前に第１ポンプのみを作動させたり、熱交換運転中に第１ポンプの出力を増大してもよい。また、第１熱交換流路の下流側に設けた１次側通流弁の絞り操作を行ってもよい。さらに、第２熱交換流路に係る第２ポンプを停止させたり、２次側の圧力を低下させてもよい。要するに、第１熱交換流路の側の圧力が第２熱交換流路の側の圧力に対して相対的に急増する操作であれば、制御部は何れの機器を制御するものであってもよい。
このような制御部の制御操作は、双方の圧力が検出可能であれば、当該熱交換システムがどのような運転状態にあっても実施可能である。
【図面の簡単な説明】
【００２７】
【図１】第１実施形態に係る熱交換システムの構成を示す説明図
【図２】第１実施形態に係る熱交換システムの運転態様を示す説明図
【図３】別実施形態に係る熱交換システムの構成を示す説明図
【図４】従来技術に係る熱交換システムの構成を示す説明図
【発明を実施するための形態】
【００２８】
本発明に係る熱交換システムの実施形態を、以下、図面を参考にしつつ説明する。
【００２９】
（装置構成）
本熱交換システムでは、例えば、ＣＯ２冷媒ヒートポンプ方式熱源機などを用いて既に所定の温度に加温された水道温水を熱交換熱源として使用する。この水道温水を、熱交換器の１次側に通流させ、同時に加温対象の流体を熱交換器の２次側に通流させる。これら１次側および２次側の流体は、例えば互いに対向する方向に通流させる。これにより、２次側の流体を加熱する。このように、当該熱交換器は、上記ヒートポンプ方式などの熱源機使用システムにおいて、２次側の流体を安全かつ効率的に加熱する間接熱交換器として機能する。
【００３０】
図１は本発明に係る熱交換システムの一つの実施形態を模式的に表したものである。中央に熱交換器１や各種配管を敷設した熱交換器ユニットＵが設けられている。この熱交換器ユニットＵの内部は、大きく三つのエリアに区分けしてある。
まず第１エリアＡ１には熱交換器１を設けてある。この熱交換器１は外部からのメンテナンスが容易となるよう簡易式脱着継ぎ手を備えている。
【００３１】
当該第１エリアＡ１の側方上部に設けた第２エリアＡ２には、熱交換器１に接続する１次側の配管などが設けてある。具体的には、第１ポンプＰ１で汲み上げた貯湯タンク２からの第１流体Ｒ１を熱交換器１の第１熱交換流路ＬＫ１に供給する第１流路Ｌ１および当該第１流路Ｌ１に設けた逆止通流弁Ｂ１が設けてある。ここでの第１流体Ｒ１は例えば清浄な温水である。第１流路Ｌ１の一部は、第１熱交換流路ＬＫ１の最も高い位置に対してさらに高い位置に敷設してある。また、第１熱交換流路ＬＫ１の一方に接続した下流側の第１流路Ｌ１２および１次側通流弁Ｂ２、さらに、その下流側に温度制御用の流量調節通流弁Ｂ３が同じ第１エリアＡ１に設けてある。そして場合により、第１熱交換流路ＬＫ１と１次側通流弁Ｂ２との間の位置に、第１流体Ｒ１の一定量を貯留できる流路延長形成体３を設ける。
この他、下流側の第１流路Ｌ１２に設けた１次側通流弁Ｂ２の下流側から、後述する第２流路Ｌ２の一方側にはバイパス流路ＬＢを接続してある。このバイパス流路ＬＢにはバイパス用通流弁Ｂ４を備えている。これにより、後述するように１次側の第１流体Ｒ１を２次側の第２流路Ｌ２にバイパスさせ、第２熱交換流路ＬＫ２を洗浄することができる。
【００３２】
一方、第２エリアＡ２の下方に設けた第３エリアＡ３には、例えば冷泉水受水槽１０などから第２ポンプＰ２で汲み上げた第２流体Ｒ２としての冷泉水を第２熱交換流路ＬＫ２に供給する上流側の第２流路Ｌ２１が設けてある。また、この第３エリアＡ３には、第２熱交換流路ＬＫ２のもう一方に接続した下流側の第２流路Ｌ２２も設けてある。これら上流側および下流側の第２流路Ｌ２には、それぞれ２次側通流弁Ｂ５，Ｂ６が設けてある。第２流路Ｌ２のうち鉛直方向のより低位置にある側の第２流路Ｌ２１において、第２熱交換流路ＬＫ２と２次側通流弁Ｂ５との間の位置からは、ドレン用通流弁Ｂ７を備えたドレン流路ＬＤを分岐させている。これにより、第２熱交換流路ＬＫ２の第２流体Ｒ２を必要に応じて外部へ排出することができる。
【００３３】
（熱交換器）
本熱交換システムＳのうち主要な構成要素について以下説明する。
本システムに用いる熱交換器１は、例えばプレート式熱交換器を用いる。これにより、コンパクトな構成でありながら、流体同士の熱交換を行う場合に高い熱交換効率を得ることができる。熱交換器１の構造としては、例えば１ｍｍ以下の厚みの非常に薄い金属プレートを第１熱交換流路ＬＫ１および第２熱交換流路ＬＫ２の各熱交換流路の仕切り壁として一定間隔を空けて複数枚重ね合わせてある。一枚のプレートを境にして両面に接する隙間の一方に、熱を与える１次側の高温流体である第１流体Ｒ１を流通させ、他方の隙間に、熱を受ける２次側の低温流体である第２流体Ｒ２を流通させる。これらの流通方向は、通常、対向流とする。従って、形成される複数隙間の一つ飛びに同じ高温流体、あるいは同じ低温流体が分散されて同じ方向に平行に流れる。第１熱交換流路ＬＫ１および第２熱交換流路ＬＫ２の入口および出口は外部配管と接続できるように円形の穴が開設けてある。同じ位置に開けられた複数枚プレートの穴周りが１枚ごとにシールと非シールを繰り返す構造になっており、入り口から入る高温の第１流体Ｒ１および低温の第２流体Ｒ２は上記複数の隙間の一つ飛びに連通分散され、高温流体は全て同じ方向に、低温流体は全て逆の方向に流れ、対向流熱交換が行われる。
【００３４】
ただし、このうち第２熱交換流路ＬＫ２に水質条件の悪い例えば冷温泉水を流すとき、薄いプレート表面にスケールが付着し析出固着を生じさせることがある。場合によっては、腐食孔や割れが生じて隣り合う第１流体Ｒ１と第２流体Ｒ２（冷温泉水）とが互いに混ざり合い、清浄な第１流体Ｒ１が汚染されたり、熱交換システムＳの各部で機械的損傷が生じるなどのトラブルが発生する。
【００３５】
なお、熱交換器１の形式は、上記プレート式のものに限られるものではなく、２重管式やシェル＆チューブ式など、他方式の熱交換器であってもよい。
【００３６】
（第１流路、第２流路）
本構成においては、二つの１次側通流弁Ｂ１，Ｂ２を両端部とする第１流路Ｌ１１，Ｌ１２および第１熱交換流路ＬＫ１を含む流路の少なくとも一部の配置高さを、二つの２次側通流弁Ｂ５，Ｂ６を両端部とする第２流路Ｌ２１，Ｌ２２および第２熱交換流路ＬＫ２を含む流路の何れの部位よりも高く構成してある。つまり、第１流路Ｌ１の一部は、互いに対向する第１熱交換流路ＬＫ１および第２熱交換流路ＬＫ２の位置よりも常に高い位置にある。例えば、図１に示すように、第１流路Ｌ１の一部を逆Ｕ字状にして上方に湾曲させたり、また、第１流路Ｌ１のほぼ全体を第１熱交換流路ＬＫ１よりも高い位置に設置しておく。
【００３７】
このように構成することで、第１流路Ｌ１および第２流路Ｌ２に流体が存在する場合には、第１熱交換流路ＬＫ１における水頭圧を、それに対応する位置の第２熱交換流路ＬＫ２の水頭圧よりも常に高く設定することができる。よって、熱交換システムＳの運転休停止中に、仮に熱交換器１の内部で破損が生じた場合でも、第２流体Ｒ２である冷温泉水が清浄水の流通する第１熱交換流路ＬＫ１に流入するのを防止することができる。
【００３８】
熱交換システムＳの定常の熱交換運転中は、常に第１流路Ｌ１の流体圧力が第２流路Ｌ２の流体圧力よりも大きくなるようにする。このような平均的所定差圧を持つように制御する差圧運転を行うことで、仮に、熱交換器１の内部で破損が生じていても第２流体Ｒ２が第１熱交換流路ＬＫ１の側に混入するのを防止することができる。
【００３９】
また、上記平均的所定差圧に異常があった場合、後述する圧力センサＳ１，Ｓ２、Ｓ３、Ｓ４のうちの少なくとも何れか一つによる検知に基づき漏洩状況と判定して第１ポンプＰ１および第２ポンプＰ２を停止させると同時に後述するドレン用通流弁Ｂ７を開くなど直ちに熱交換システムを運転休停止状態とし、水頭圧の差により第１熱交換流路ＬＫ１における圧力を、それに対応する位置の第２熱交換流路ＬＫ２の圧力より高く保持する。
【００４０】
なお、この場合、第１流路Ｌ１の一部をどの程度高く配置するかは、第１流路Ｌ１、第１熱交換流路ＬＫ１および後述するドレン用通流弁Ｂ７の通流抵抗を考慮して決定する。仮に、第１熱交換流路ＬＫ１と第２熱交換流路ＬＫ２との間で流体の微量混入漏れを生じた場合でも、汚染された第１流体Ｒ１を第２熱交換流路ＬＫ２の側に確実に通流させ、ドレン用通流弁Ｂ７を介して外部へ排出させることができるように第１流路Ｌ１の一部を十分な高さに設定しておくのが好ましい。
【００４１】
また、第１流路Ｌ１の一部を上方に湾曲させた逆Ｕ字状部ＬＵを設ける場合には、例えば、１次側通流弁Ｂ１，Ｂ２などから空気が混入したような場合でも、逆Ｕ字状部ＬＵの頂部に空気を収集し、適宜外部に放出することができ、第１流体Ｒ１に混入する空気を除去して熱交換効率を高く維持することができる。
【００４２】
（１次側通流弁、２次側通流弁）
本実施形態で用いる弁としては、例えば図１に示すように、上流側の第１流路Ｌ１１に設ける１次側通流弁としては逆止通流弁Ｂ１を用い、下流側の第１流路Ｌ１２に設ける１次側通流弁Ｂ２としては開閉制御可能な通流弁を、さらにその下流側に温度制御用の流量調節通流弁Ｂ３を用いることができる。また、上流側および下流側の第２流路Ｌ２１，Ｌ２２に設ける２次側通流弁Ｂ５，Ｂ６としては、例えば双方とも開閉制御可能な通流弁を各々設けることができる。
【００４３】
（流路延長形成体）
本実施形態の熱交換システムＳにおいては、第１熱交換流路ＬＫ１の下流側に位置する第１流路Ｌ１２であって、第１熱交換流路ＬＫ１と１次側通流弁Ｂ２との間の位置に、第１流体Ｒ１の一定量を貯留できる流路延長形成体３を設けてもよい。
【００４４】
このように、第１熱交換流路ＬＫ１の下流側に流路延長形成体３を備えることで、仮に、熱交換器１において第２流体Ｒ２が第１流体Ｒ１の側に混入した場合でも、汚染された流体の一定量は当該流路延長形成体３に貯留され、汚染水がさらに下流側に流れるのを一定時間にわたり阻止することができる。本システムでは、例えば、熱交換運転中に各所に設けた後述する圧力センサの圧力測定値から第１熱交換流路ＬＫ１の圧力と第２熱交換流路ＬＫ２の圧力との差圧を監視し、この圧力測定値または差圧値が異常を呈した場合に、第２流体が第１流体の側に混入する条件の一つと判定し、第１ポンプＰ１および第２ポンプＰ２を停止させると同時に後述するドレン用通流弁Ｂ７を開く。続いて１次側通流弁Ｂ２、流量調節通流弁Ｂ３および２次側通流弁Ｂ５、Ｂ６を閉じメンテナンス待ちの運転休停止状態にする。この場合に、微かな量の第２流体Ｒ２が第１熱交換流路ＬＫ１に混入すると予測されるが、上記流路延長形成体３を設けることで、このような判定を行う時間およびそののちに運転を停止するまでの時間を確保することができ、第１流路Ｌ１の下流側の汚染をより有効に防止することができる。
【００４５】
なお、流路延長形成体３は単なる中空部をもつ密閉容器でもよいが、図１の破線の直線で示すように容器内中空部に流路案内仕切り板を持たせたものがより有効である。その他、熱交換器ユニットＵ内部の各種配管の径以上の径をもつ複数の直管と折り返し部のＵ字管を交互につなぎ蛇行状したものでもよいし、同様の径の管を複数回巻いたコイル状にしたものでもよい。
要するに、流路延長形成体３については所定の容量があり確実に流路が延長されるものであって、熱交換器１の内部の破損で起こる混入漏れによって汚染された流体が、その入り口から入り出口に至るまでの時間を確実に長びかせて、さらに下流側に流れるのを所定の時間にわたり阻止できるものであればよい。
【００４６】
（圧力センサ・温度センサ）
図１に示すように、第１熱交換流路ＬＫ１および第２熱交換流路ＬＫ２の夫々上流側および下流側には、圧力センサＳ１，Ｓ２，Ｓ３、Ｓ４を夫々一つずつ設けてある。また、この圧力センサは、第１熱交換流路ＬＫ１および第２熱交換流路ＬＫ２の夫々に対して、上流側あるいは下流側の位置に一つずつ設けるものであってもよい。流体が熱交換流路を通流する場合には幾分の流通抵抗を受けるから、熱交換器１の上流側と下流側とでは流路の圧力は異なるものとなる。よって、上流側と下流側との双方に設けることで、各部位の圧力測定精度が向上する。
その他、例えば第２熱交換流路ＬＫ２にスケールが付着して圧損が生ずる場合に、その圧損値を計測することにより、スケール除去メンテナンス時期を診断することができる。
【００４７】
また、第１熱交換流路ＬＫ１および第２熱交換流路ＬＫ２の夫々上流側および下流側には、温度センサＴ１，Ｔ２，Ｔ３，Ｔ４を備えておくのがよい。当該温度センサもそれぞれの熱交換流路につき夫々少なくとも一つ設けてあればよいが、熱交換器１の上流側と下流側とに夫々設けることで、流路の温度測定精度が向上する。よって、第１ポンプＰ１あるいは第２ポンプＰ２、さらには１次側通流弁Ｂ１，Ｂ２あるいは温度制御用の流量調節通流弁Ｂ３や２次側通流弁Ｂ５，Ｂ６の制御がより的確なものとなり、熱交換システムＳを精度良く運転することができる。
【００４８】
（ドレン流路、ドレン用通流弁）
本実施形態の熱交換システムＳにおいては、第２熱交換流路ＬＫ２の両端のうち低い側の端部に接続してある第２流路Ｌ２１において、第２熱交換流路ＬＫ２と２次側通流弁Ｂ５との間の最も低い位置から第２熱交換流路ＬＫ２よりも下方に分岐延長させたドレン流路ＬＤを設けてある。このドレン流路ＬＤには、ドレン用通流弁Ｂ７を設けてあり、後述する制御部４によって開閉制御可能である。
【００４９】
このように構成することで、仮に、熱交換運転または漏れ検知診断において第１熱交換流路ＬＫ１と第２熱交換流路ＬＫ２との仕切り壁のプレートが破損していた場合などに、圧力センサＳ１，Ｓ２、Ｓ３、Ｓ４のうちの少なくとも何れか一つによる検知に基づき漏洩状況と判定して例えば、第１ポンプＰ１および第２ポンプＰ２を停止したのち、ドレン流路ＬＤを介して第２熱交換流路ＬＫ２の流体を排出し、流体の混入を阻止することができる。このドレン流路ＬＤは、二つの第２流路Ｌ２のうち、設置高さがより低位置にあるものから分岐させる。これにより、ドレン用通流弁Ｂ７を開放したとき、第２熱交換流路ＬＫ２および二つの第２流路Ｌ２１，Ｌ２２に存在する第２流体Ｒ２の略全てを排出することができる。
【００５０】
また、ドレン用通流弁Ｂ７を完全に開放するまでもなく、例えば、熱交換システムＳの運転休停止中に、ドレン用通流弁Ｂ７を僅かにまたは短時間開放し、第２熱交換流路ＬＫ２の残圧を除去して大気圧に下げることで、第１熱交換流路ＬＫ１の圧力を第２熱交換流路ＬＫ２の圧力よりも常に高く維持することができる。
【００５１】
（制御部）
本実施形態の熱交換器ユニットＵには、各圧力センサＳ１〜Ｓ４および温度センサＴ１〜Ｔ４による計測を行うと共に、その計測値を評価診断して異常時にはアラームランプ５を点灯させたり、ブザー９からアラームを発したり、第１ポンプＰ１や第２ポンプＰ２を停止させたりする信号を発するユニットコントローラ４１を内蔵してある。
加えて本実施形態の熱交換システムＳには、ユニットコントローラ４１の他に、システムコントローラ４２を備えている。これは、第１ポンプＰ１などの発停を行ったり、何らかの原因で１次側の圧力と２次側の圧力とが逆転する前に圧力逆転を阻止したり、その他の異常時にアラーム信号とポンプＰ１，Ｐ２および熱源機（ＣＯ２冷媒ヒートポンプ方式熱源機）Ｅを停止するなどの制御を行う。
これら二つのコントローラ４１，４２は、上記のごとく個別のものであってもよいし、一つに一体化されたものであってもよい。
【００５２】
（ポンプ）
本実施形態の熱交換システムＳには、貯湯タンク２から第１流路Ｌ１に第１流体Ｒ１を供給する第１ポンプＰ１を備え、冷泉水受水槽１０から第２流路Ｌ２に第２流体Ｒ２を供給する第２ポンプＰ２を備えている。これらのポンプＰ１，Ｐ２には、それぞれ逆止弁ＢＰ１，ＢＰ２を設けておくと好都合である。また、第１流路Ｌ１および第２流路Ｌ２に設けるポンプの能力や数は、所期の流体流量に応じて適宜設定可能である。これらのポンプは、例えば、インバータポンプで構成する。これにより、熱交換器１における１次側の流体圧力が常に２次側の流体圧力より大きくなるように平均的所定差圧を持たせる運転制御を行うことができる。
【００５３】
なお、本熱交換システムＳには、第１流路Ｌ１に対して清浄な水を供給するポンプとして第３ポンプＰ３を備えている。また、第２流路Ｌ２に対して浴槽８からの例えば４０℃以下の循環冷温泉水を供給するポンプとして第４ポンプＰ４を備えている。
【００５４】
熱交換システムＳの定常の熱交換運転中に、第１流路Ｌ１の流体圧力を第２流路Ｌ２の流体圧力よりも大きくする圧力設定は、第１流路Ｌ１に設けた１次側圧力センサＳ１，Ｓ２および第２流路Ｌ２に設けた２次側圧力センサＳ３，Ｓ４の計測値に基づいて各ポンプＰ１，Ｐ２をインバータ制御するものであってもよい。また、ポンプとして上記のごとく逆止弁ＢＰ１，ＢＰ２付きの一般的なものを使用し、別途取付けた定圧調整弁などにより、第１流路Ｌ１の流体圧力を第２流路Ｌ２の流体圧力よりも高く設定するものであってもよい。
【００５５】
（バイパス流路・バイパス用通流弁）
本実施形態の熱交換システムＳにおいては、第１熱交換流路ＬＫ１に対して下流側に位置する第１流路Ｌ１２のうち１次側通流弁Ｂ２のさらに下流側の位置から分岐し、第２流路Ｌ２のうち例えば第２熱交換流路ＬＫ２と２次側通流弁Ｂ６との間の位置に接続されたバイパス流路ＬＢを備えてある。このバイパス流路ＬＢにはバイパス用通流弁Ｂ４が備えられている。
【００５６】
なお、前述のドレン流路ＬＤは、当該バイパス流路ＬＢが接続されたのとは反対側の第２流路Ｌ２１に接続しておく。
【００５７】
このように、バイパス流路ＬＢを、第１熱交換流路ＬＫ１よりも下流側であって１次側通流弁Ｂ２よりもさらに下流側の位置から第２流路Ｌ２の何れか一方に接続し、これと反対の第２流路Ｌ２にドレン流路ＬＤを設けることで、例えば、流量調節通流弁Ｂ３および２次側通流弁Ｂ５，Ｂ６を閉じてバイパス用通流弁Ｂ４およびドレン用通流弁Ｂ７を開放状態とし、より圧力の高い第１流体Ｒ１をバイパス流路ＬＢから第２流路Ｌ２の一方を介して第２熱交換流路ＬＫ２に供給することで第２熱交換流路ＬＫ２を洗浄することができる。尚、このとき、第２ポンプＰ２を停止して第１ポンプＰ１のみ作動させるのが好ましいが、２次側通流弁Ｂ５が閉じられるのであれば第２ポンプＰ２は別系統の使用に供するための運転状態であってもよい。より圧力の低い第２熱交換流路ＬＫ２には、例えば、熱を保有する温泉水などを流通させるが、このような熱源流体にはスケール成分や不純物が混入していることが多く、第２熱交換流路ＬＫ２は常に汚染されていると考えられる。よって、この場合、例えば当該バイパス流路ＬＢを第２熱交換流路ＬＫ２の下流側に接続すれば、より高圧で清浄な第１流体Ｒ１を、図１における破線矢印のように通常の流れと逆の方向に流して第２熱交換流路ＬＫ２を逆流洗浄することができる。本構成であれば、汚染流路の逆流洗浄を熱交換運転開始前および終了後など適宜行うことができ、熱交換器１の腐食などを防止し、熱交換器１の耐久性をより高めることができる。
【００５８】
このようなバイパス流路ＬＢは、熱交換システムが健全な場合はもちろん、仮に、熱交換運転または漏れ検知診断において熱交換器の内部で破損が生じ、第１熱交換流路ＬＫ１と第２熱交換流路ＬＫ２との間の微量混入漏れにより、第２流体Ｒ２が第１流路Ｌ１の側に僅かに流入し汚染が生じている場合にも有効である。つまり、熱交換器１にてバイパス流路ＬＢの分岐部は、第１熱交換流路ＬＫ１よりも下流側に設けてある。よって、仮に、圧力センサＳ１，Ｓ２、Ｓ３、Ｓ４のうちの少なくとも何れか一つによる検知に基づき漏洩状況と判定された場合に、例えば運転休停止状態とする前に流量調節通流弁Ｂ３および２次側通流弁Ｂ５，Ｂ６を閉じてバイパス用通流弁Ｂ４およびドレン用通流弁Ｂ７を開けることにより、汚染が生じている流体を、第１流路Ｌ１の下流側ではなく、第２流路Ｌ２の側に確実に排出することができる。このような構成であれば、第１流路の下流側において汚染が拡大し蓄積することを有効に防止することができ、特に第１流路Ｌ１の下流側に汚染が拡大する場合の厄介な汚染漏れ水の後始末の必要もなくなる。
【００５９】
（運転実例）
次に、図１および図２に基づき、本実施形態に係る熱交換システムＳの運転例を示す。
特に、図２は、熱交換システムＳの運転タイムチャートである。縦軸に圧力をとり、横軸に時間をとって、熱交換通流運転時および運転休停止時における第１熱交換流路ＬＫ１と第２熱交換流路ＬＫ２との圧力変化を示したものである。図中、全運転状態とは熱交換システムＳにおけるシステムコントローラ４２およびユニットコントローラ４１の電源が入り状態にある状態を示す。図２では、八つの時間帯を規定している。ａ〜ｈまでを合わせたものが全運転状態であり、ｂからｇまでを合わせたものが圧力センサの計測による圧力監視状態である。ｃからｅまでを合わせたものが何れかのポンプが作動している通流運転状態であり、ｄが熱交換運転状態である。
【００６０】
より具体的には、図中ａは、全運転開始後であって、流路の圧力計測を行う前の流体を通流させない状態である。ｂは、圧力計測を行う状態である。ｃは、１次側ポンプＰ１を稼動させ第１熱交換流路ＬＫ１の圧力を急激に上昇させた際の、第２熱交換流路ＬＫ２の圧力計測を行う状態である。ｄは、熱交換システムＳの定常の熱交換運転状態であって、第１熱交換流路ＬＫ１の圧力と第２熱交換流路ＬＫ２の圧力の計測と、その差圧を計測する状態である。ｅは、熱交換運転後、２次側ポンプＰ２を停止して各２次側通流弁を閉じ、かつ２次側にあるドレン用通流弁Ｂ７を大気開放する状態である。ｆは、第１熱交換流路ＬＫ１の圧力を、再度、上昇させるために一旦、１次側ポンプＰ１を停止して圧力計測を行い、ドレン用通流弁Ｂ７を所定の条件に切り替える状態である。ｇは、再度、１次側ポンプＰ１を作動させ第１熱交換流路ＬＫ１の圧力を急激に上昇させた際の、第２熱交換流路ＬＫ２の圧力計測を行う状態である。ｈは、第２流路Ｌ２および第１流路Ｌ１への流体の通流を停止したのちの全運転終了を待つ状態である。
【００６１】
以下には、本熱交換システムＳの運転例を示す。
（運転開始）
運転開始時において、貯湯タンク２には、予め前記熱源機Ｅで昇温した水道温水が貯留されている。水道温水の温度は大よそ８０℃前後である。
まず、昇温流体である冷温泉水の供給量を所期の量となるように湯はり供給栓１１の開度を調節する。
【００６２】
次に、熱交換器ユニットＵのユニットコントローラ４１にて、第２熱交換流路ＬＫ２の第２流体Ｒ２（冷温泉水）に対する昇温温度を設定する。
【００６３】
第２流路Ｌ２から分岐させたドレン用通流弁Ｂ７を閉じ操作し、ユニットコントローラ４１により、第１流路Ｌ１に設けた温度制御用の流量調節弁Ｂ３を通流初期開度まで開き操作すると共に、１次側通流弁Ｂ２を開き操作する。第１流路Ｌ１と第２流路Ｌ２とに流体が未だ流通していないことを確認した上で、第１流路Ｌ１および第２流路Ｌ２の圧力値を測定する。このときの双方の差圧値を算出し、各圧力値、差圧値共に記憶させておく。
【００６４】
続いて第１ポンプＰ１のみを作動させる。このとき第１流路Ｌ１の圧力を急激に増大させ、第２流路Ｌ２の圧力との差を増大させて、第１流路Ｌ１に設けた１次側圧力センサＳ１，Ｓ２および第２流路Ｌ２に設けた２次側圧力センサＳ３，Ｓ４の値を計測する。１次側と２次側との圧力差が所定の値以上に大きくなれば、第１熱交換流路ＬＫ１と第２熱交換流路ＬＫ２との間に連通による漏洩が無いことを確認できる。
【００６５】
この熱交換システムＳでは、第１流路Ｌ１に１次側圧力センサＳ１，Ｓ２を備え、第２流路Ｌ２には２次側圧力センサＳ３，Ｓ４を備えて、前記第１熱交換流路ＬＫ１と前記第２熱交換流路ＬＫ２とが仕切り壁のプレート損傷などにより連通した場合、何れか一方の流路の圧力が及ぼす他方の圧力を監視することができる。しかし、通常の熱交換運転中の圧力差は、第２熱交換流路ＬＫ２から第１熱交換流路ＬＫ１への第２流体Ｒ２の混入を防止できればよいから、それほど大きな差を設ける必要はない。そのため、仮に、第１熱交換流路ＬＫ１と第２熱交換流路ＬＫ２との間で連通による漏洩が生じた場合でも、双方の熱交換流路の圧力が顕著に変化しない可能性がある。そこで、第２熱交換流路ＬＫ２の圧力と第１熱交換流路ＬＫ１の圧力との差を大きく急増変化させるよう制御部４が機能することで、上記漏洩の早期発見を可能にしている。
【００６６】
具体的には、制御部４であるシステムコントローラ４２が、１次側通流弁Ｂ１，Ｂ２または温度制御用の流量調節通流弁Ｂ３および２次側通流弁Ｂ５，Ｂ６、第１ポンプＰ１、第２ポンプＰ２、ドレン用通流弁Ｂ７のうち少なくとも何れか一つの動作を制御して、第１流路Ｌ１の圧力と第２流路Ｌ２の圧力との圧力差を急増変化させる。これにより得られる１次側圧力センサＳ１，Ｓ２および２次側圧力センサＳ３，Ｓ４のうち少なくとも何れか一つの検出値に基づいて、第１熱交換流路ＬＫ１と第２熱交換流路ＬＫ２との連通の有無を確認する漏れ検知診断を行わせる。
【００６７】
なお、双方の熱交換流路ＬＫ１，ＬＫ２の圧力差を急増させる手法としては、例えば、第１ポンプＰ１の出力を増大してもよいし、第１熱交換流路ＬＫ１の下流側に設けた１次側通流弁のうちの流量調節通流弁Ｂ３の絞り操作を行ってもよい。また、第２熱交換流路ＬＫ２に係る第２ポンプＰ２を停止させたり、ドレン用通流弁Ｂ７を開き操作して、２次側の圧力を低下させてもよい。要するに、第１熱交換流路ＬＫ１の側の圧力が第２熱交換流路ＬＫ２の側の圧力に対して相対的に急増する操作であれば、制御部４は何れの機器を制御するものであってもよい。
このような制御部４の制御操作は、双方の圧力が検出可能であれば、当該熱交換システムＳがどのような運転状態にあっても実施可能である。
【００６８】
熱交換器１などの故障がないことを確認したのち、流量調節通流弁Ｂ３を閉じ、１次側通流弁Ｂ２を開いた状態で続けて第２熱交換流路ＬＫ２の洗浄を行う。すなわち、第２流路Ｌ２に設けた二つの２次側通流弁Ｂ５，Ｂ６を閉じ操作して、第１流路Ｌ１から分岐させたバイパス流路ＬＢのバイパス用通流弁Ｂ４とドレン用通流弁Ｂ７とを開き操作する。これにより、２次側の第２熱交換流路ＬＫ２へ通常の流れと逆の方向に、第１流体Ｒ１を流すようにして当該第２熱交換流路ＬＫ２を逆流洗浄することができる。
【００６９】
洗浄運転が終了したのち、第１流路Ｌ１の圧力を通常運転圧力に戻すと共に、バイパス用通流弁Ｂ４を閉じる。これに続けて、第１熱交換流路ＬＫ１の圧力が設定値となるように第１ポンプＰ１を制御する。一方、２次側においてはドレン用通流弁Ｂ７を閉じ操作し、二つの２次側通流弁Ｂ５，Ｂ６を開き操作するとともに、第１ポンプＰ１が作動している条件の下で第２ポンプＰ２を作動させる。第２流路Ｌ２に設けた圧力センサＳ３，Ｓ４の値に基づき、第２ポンプＰ２を制御して、常に第１流路Ｌ１の流体圧力が第２流路Ｌ２の流体圧力に対して平均的所定差圧だけ大きくなるように第２熱交換流路ＬＫ２の圧力を所定の値に設定する。
【００７０】
１次側と２次側の圧力およびその差圧が安定したら、１次側温度計Ｔ１，Ｔ２および２次側温度計Ｔ３，Ｔ４の値を計測する。
【００７１】
熱交換システムＳが定常の熱交換運転を開始したのちは、１次側圧力センサＳ１，Ｓ２の圧力と２次側圧力センサＳ３，Ｓ４の圧力と、その差圧を常時監視する。仮に、第１ポンプＰ１が不意に故障したり、１次側と２次側の圧力およびその差圧に異常が生じて、特に第１熱交換流路ＬＫ１の圧力と第２熱交換流路ＬＫ２の圧力との差が所定の閾値を下回った場合には、漏洩状況と判定して直ちに第２ポンプＰ２と、第１ポンプＰ１とを停止し、ドレン用通流弁Ｂ７を開き第２熱交換流路ＬＫ２の流体を排出する。
【００７２】
続いて１次側通流弁Ｂ２、２次側通流弁Ｂ５、Ｂ６を閉じ、メンテナンス待ちの運転休止状態にして前記同様に水頭圧の差により第１熱交換流路ＬＫ１における圧力を、それに対応する位置の第２熱交換流路ＬＫ２の圧力より高く保持し、仮に熱交換器１の内部で破損が生じていても第２流体が第１熱交換流路ＬＫ１の側に混入するのを防止する。これにより水質上問題のある第２流体Ｒ２である冷温泉水が、第１流路Ｌ１において、少なくとも通流弁Ｂ１の上流側および通流弁Ｂ２の下流側に侵入するのを防止する。
【００７３】
１次側と２次側の圧力およびその差圧に異常のない定常の熱交換運転においては、第２熱交換流路ＬＫ２の下流側出口の第２流体Ｒ２の温度は、予め設定した温度（例えば４５℃）に対し、許容の上限温度（例えば４６℃）と下限温度（例えば４２℃）との間の温度となるようにコントロールされる。このコントロールは、ユニットコントローラ４１が温度制御用の流量調節弁Ｂ３の開度を制御することで行う。
【００７４】
定常の熱交換運転中はユニットコントローラ４１により各温度計Ｔ１〜Ｔ４や圧力センサＳ１〜Ｓ４の計測値を常時監視して予め設けた正常範囲を外れた異常値を検出したときは、直ちにシステムコントローラ４２により第１ポンプＰ１および第２ポンプＰ２を停止させると同時にドレン用通流弁Ｂ７を開く。続いて１次側通流弁Ｂ２、流量調節通流弁Ｂ３および２次側通流弁Ｂ５、Ｂ６を閉じメンテナンス待ちの運転休停止状態にすると共に、アラームランプ５を点灯させたり、ブザー９によりアラーム音を発生させたりする。
【００７５】
浴槽８への湯はり供給が完了するなど、熱交換運転を終える時は、まず第２ポンプＰ２を停止させると共に、ドレン用通流弁Ｂ７を開き操作する。これにより、運転休停止時に第２熱交換流路ＬＫ２を大気開放して第２流体Ｒ２の残圧を除去する。
【００７６】
次に、第２ポンプＰ２が停止していることを確認し、２次側より高い圧力設定の第１ポンプＰ１を継続して加圧しながらポンプ吐出流量を徐々に低減する。流量がゼロになったのちに第１ポンプＰ１を停止させ、二つの１次側通流弁のうち下流側の弁Ｂ２を閉じ操作する。
【００７７】
第１ポンプＰ１および第２ポンプＰ２が停止している状態で、第１流路Ｌ１の圧力と第２流路Ｌ２の圧力、または、双方の差圧を計測する。
【００７８】
再度、ここで漏れ検知診断を行う。つまり、ドレン用通流弁Ｂ７を閉じ、１次側通流弁Ｂ２を開き操作し、第１ポンプＰ１を短時間作動させて、第１熱交換流路ＬＫ１にのみ第１流体Ｒ１を通流させる。これにより、第２熱交換流路ＬＫ２との圧力差を急激に増大させて、第２熱交換流路ＬＫ２の圧力に影響が及ぶか否かを確認する。第２熱交換流路ＬＫ２の圧力が特に影響を受けないことが確認されたのち、第１ポンプＰ１を停止する。
【００７９】
こののち、必要に応じて再度、第１ポンプＰ１を作動させ、上記〔００６８〕段落で示したのと同様の手順により第２熱交換流路ＬＫ２の逆流洗浄を行う。例えば、長時間に亘る熱交換運転により第２熱交換流路ＬＫ２の汚れやスケール付着が顕著になっていると予測される場合や、システムを停止したのち再稼働までの休止期間が長期にわたる場合などに第２熱交換流路ＬＫ２を逆流洗浄することで、熱交換器１の性能低下や劣化を防止することができる。
【００８０】
最後に第１ポンプＰ１を上記〔００７６〕段落の要領にて停止させ、全ての状況を確認した上で、熱交換システムＳの全運転を終了する。
【００８１】
〔別実施形態１〕
上記実施形態では、漏れ検知診断運転を、第１流路Ｌ１には第１流体Ｒ１が満たされ、第２流路Ｌ２には第２流体Ｒ２が満たされた状態で行った。漏れ検知診断運転は１次側の圧力を急激に変化させるものであるが、場合によっては、当該加圧によって熱交換器１が破損する可能性もある。その場合に、第１流体Ｒ１と第２流体Ｒ２とが互いに隣接する状態で存在したのでは、何かの都合で、第２流体Ｒ２が第１熱交換流路ＬＫ１の側に混入する事態も生じ得る。
【００８２】
そこで、このような不都合を防止するために、漏れ検知診断運転の実施に際しては上記実施形態と順序を逆にして、まず逆流洗浄を行い、第２熱交換流路ＬＫ２にも第１流体Ｒ１を満たした状態で行うのが好ましい。これにより、仮に漏れ検知診断運転が熱交換器１の破損を誘発するような場合でも、その後の第１熱交換流路ＬＫ１の側の汚染を確実に防止することができる。
【００８３】
〔別実施形態２〕
上記実施形態では、高温の温水によって第２流体Ｒ２である冷温水を昇温させる例を示した。本熱交換システムＳは、この他にも図３に示すように、高温の温泉水の熱を利用して小型バイナリー発電を行う場合にも有効である。
【００８４】
この場合、熱授受の関係からみれば、高温の温泉水の流路が１次側であり、熱を受ける冷水の側が２次側となる。しかし、本別実施形態においても、冷水流路側に温泉水が混入するのを防止する必要があるという点では、上記実施形態と同様であるので、本別実施形態でも説明を容易化するために冷水側を１次側とし、高温の温泉水の側を２次側とする。
【００８５】
本別実施形態においては、まず前記熱源機Ｅを小型バイナリー発電装置６に置き換える。小型バイナリー発電装置６には冷却水を放熱させるためのクーリングタワー７および冷却ポンプＰ５が併設される。
また、第２流体Ｒ２である温泉水は、例えば第２ポンプＰ２を用いて地下からくみ上げたのち熱交換器１に導かれ、ここで第１流体Ｒ１である水などと熱交換される。熱が吸収された温泉水は、湯はり供給栓１１にて水を加えて温度調節が行われ、浴槽８などに供給される。放熱後の温泉水は、当該浴槽８の他に設けた種々の施設にも供給される。
【００８６】
それ以外の構成は上記実施形態と同様であり、運転の開始から停止まで同様に行うことができる。
【産業上の利用可能性】
【００８７】
本発明の熱交換システムは、冷温泉水の温泉化利用のための間接式熱交換システムおよび機器や、高温温泉水・産業廃熱水利用発電のための間接式熱交換システムおよび機器、さらには、化学溶液など精製のための間接式熱交換システムおよび機器などに適用可能である。
【符号の説明】
【００８８】
１          熱交換器
３          流路延長形成体
４          制御部
Ｂ１，Ｂ２  １次側通流弁
Ｂ３        流量調節通流弁
Ｂ４        バイパス用通流弁
Ｂ５，Ｂ６  ２次側通流弁
Ｂ７        ドレン用通流弁
Ｌ１        第１流路
Ｌ２        第２流路
ＬＫ１      第１熱交換流路
ＬＫ２      第２熱交換流路
ＬＢ        バイパス流路
ＬＤ        ドレン流路
Ｐ１        第１ポンプ
Ｐ２        第２ポンプ
Ｒ１        第１流体
Ｒ２        第２流体
Ｓ          熱交換システム
Ｓ１，Ｓ２  １次側圧力センサ
Ｓ３，Ｓ４  ２次側圧力センサ
【図１】
2014153003.tif 000003
【図２】
2014153003.tif 000004
【図３】
2014153003.tif 000005
【図４】
2014153003.tif 000006